(57)【要約】【課題】簡単な構造で斬新な表示を行う車両用表示装置を提供する。【解決手段】複数種類の表示対象を表示する表示領域を画定する装飾部材２１を有する車両用表示装置２０であって、前記表示領域内に配置される第１文字板２２と、前記第１文字板の前面側または背面側にずれた状態で前記第１文字板とは異なる前記表示領域内の平面上に位置付けられるように前記装飾部材２１と一体に形成された第２文字板２３と、を有することを特徴とする。【選択図】図２
2008128947.tif 000002
【特許請求の範囲】
【請求項１】
複数種類の表示対象を表示する表示領域を画定する装飾部材を有する車両用表示装置であって、
前記表示領域内に配置される第１文字板と、
前記第１文字板の前面側または背面側にずれた状態で前記第１文字板とは異なる前記表示領域内の平面上に位置付けられるように前記装飾部材と一体に形成された第２文字板と、
を有することを特徴とする車両用表示装置。
【請求項２】
前記装飾部材および前記第２文字板を透光性部材で形成し、
前記第２文字板は、背後からの光を利用者側に透過して発光する第２指標を有することを特徴とする請求項１に記載の車両用表示装置。
【発明の詳細な説明】
【技術分野】
【０００１】
本発明は、車両用表示装置に関し、より詳細には、画定された表示領域内に複数の文字板を含み、それぞれ別々の測定値を表示する車両用表示装置に関するものである。
【背景技術】
【０００２】
例えば図５に示される、車両の運転席に広く配設されている一般的なコンビネーションメータ１内には、速度計２、エンジン回転計３、燃料残量計４、水温計５等の計器が配設されている。
【０００３】
上述した各計器の大きさは、個々の重要度や、速度の常時表示を規定した法令、意匠上の見栄え等に応じて異なる場合があるが、いずれにしてもこれらの計器は、コンビネーションメータ１内にそれぞれ独立して配設されるのが通常である。
【０００４】
しかし、コンビネーションメータ１内の限られたスペースの中に各計器を独立してそれぞれ配設するには、文字板をある程度の大きさに制約する等の手当てを講じなければならない等の不具合があった。
【０００５】
そこで従来より、コンビネーションメータ内のスペースを有効活用するため、複数の計器を一体化し、一つの計器の表示領域で二つの計器の機能を果たす表示装置が提案されている。
【０００６】
その一つとして、指針軸を挟んで一直線上に長針および短針を延設し、指針軸から下半分の文字板部分を見返し板で隠すと共に、長針の指示位置に応じた目盛と短針の指示位置に応じた目盛とを上半分の文字板部分に同心円状に配置して、長針による指示値の指示と短針による指示値の指示とを選択して行わせる、本出願人が過去に出願したものがある（例えば特許文献１）。
【０００７】
他には、文字板の裏側に大小の円弧状ケースを取り付けて、各ケース内にそれぞれ配設したブロックを、モータ駆動のプーリによりケース内で周回される無端ベルトに取り付けて各ケース内でそれぞれスライドさせ、各ケースに沿って文字板にそれぞれ形成された円弧状のスリットから各ブロックの一部を露出させてポインタとし、各スリットの周縁の文字板部分に形成した目盛を各ブロックのポインタによりそれぞれ指示させるようにしたものがある（例えば特許文献２）。
【特許文献１】特開平９−１０５６５１号公報
【特許文献２】特開２００５−９８７５１号公報
【発明の開示】
【発明が解決しようとする課題】
【０００８】
上述したそれぞれの事例では、別々の測定値を指示する指標を近接して配置することで、コンビネーションメータ内のスペースを有効に活用することを実現している。しかし指標が近接配置されることで利用者がそれら指標を認識する際に混同を生じ、測定値を見誤るおそれがあるという問題がでてきた。
【０００９】
また、上記問題を解決するため、近接配置されたそれぞれの指標の色調を異ならせて視認性向上に対応しているが、色が異なるのみで平凡な見栄えのメータとなっていた。
【００１０】
さらに、車両に搭載される車両用表示装置にあっては、車種（価格帯の異なる車）毎の差別化を図る方法として、表示デザイン、斬新さなどで区別を付ける必要があり、より斬新な表示形態が望まれていた。
【００１１】
よって本発明は、上述した問題点に照らし、簡易な構造で指標の視認性を向上させると共に高級感の演出を可能とする車両用表示装置を提供することを課題としている。
【課題を解決するための手段】
【００１２】
上記課題を解決するため本発明によりなされた請求項１記載の車両用表示装置は、複数種類の表示対象を表示する表示領域を画定する装飾部材を有する車両用表示装置であって、前記表示領域内に配置される第１文字板と、前記第１文字板の前面側または背面側にずれた状態で前記第１文字板とは異なる前記表示領域内の平面上に位置付けられるように前記装飾部材と一体に形成された第２文字板と、を有することを特徴とする。
【００１３】
上記請求項１に記載した本発明の車両用表示装置によれば、第１文字板と第２文字板は、それぞれ利用者に対し前後方向にずれた状態で配置されるため、どちらか一方の文字板を手前にまたは奥まって認識させることが出来る。
【００１４】
請求項２記載の発明は、請求項１に記載の車両用表示装置において、前記装飾部材および第２文字板を透光性部材で形成し、前記第２文字板は背後からの光を利用者側に透過して発光する第２指標を有することを特徴とする。
【００１５】
上記請求項２に記載した本発明の車両用表示装置によれば、第２文字板を背後から照明することで、第２文字板上に配置された第２指標を発光させることが出来る。
【発明の効果】
【００１６】
以上説明したように、請求項１に記載した本発明の車両用表示装置によれば、それぞれ異なる測定値を指示する第１文字板と第２文字板を前後方向にずらし、異なる平面上に配置することによって、利用者はどちらか一方を他方より手前又は奥まって視認するため、第１文字板と第２文字板が近接されていてもそれぞれを混同することなく明確に区別することが出来る。また第１文字板と第２文字板において利用者から視認する距離に差が出来るため、立体的な視覚効果を得ることが出来る。さらに第２文字板は装飾部材と一体化して形成したことから、部品点数の削減且つ組み付け作業の簡単化を図ることができる。よって、単純な構造により、視認性を向上すると共に高級感を演出し、斬新な表現を支援することが出来る。
【００１７】
請求項２に記載した本発明の車両用表示装置によれば、請求項１に記載した発明の効果に加え、第２文字板上の指標を通して背後の光源より照射される光が利用者側へ放射され、第２指標が発光することにより、第２文字板上に設置された第２指標が浮き上がるような視覚効果を得ることが出来る。
【発明を実施するための最良の形態】
【００１８】
以下、本発明に係る車両用表示装置をコンビネーションメータに適用した場合の一実施の形態を、図１乃至図４の図面を参照して説明する。
【００１９】
図１および図２において、コンビネーションメータ１は、本発明の車両用表示装置２０と、エンジン回転計３、水温計５、ウォーニング６と、シフトインジケータ７と、表示器１３と、表示器用スイッチノブ１４と、を有しており、それら計器をケース１０内に収容して表ガラス９で覆った状態にて、ケース１０に設けられた複数の取付部１２によって車両に取り付けられている。表示器１３はその表示領域に、総走行距離（ＯＤＯ）または区間距離（ＴＲＩＰ）を表示するメータと、瞬間燃費を表示するインジケータと、を有している。また、表示器用スイッチノブ１４を操作することにより、ＯＤＯ／ＴＲＩＰの表示切り替えを行う。
【００２０】
以下の本発明に関する説明は車両用表示装置２０に関するものであり、それ以外の部位については本発明とは無関係であるため説明は省略する。
【００２１】
本最良の形態では、本発明の車両用表示装置２０が、速度計と燃料計との２つの表示対象を組み合わせて一つの表示装置とする場合について説明するが、本発明はこれに限定するものではなく、例えば、速度計と温度計、エンジン回転計と燃料系など種々異なる組み合わせとすることができる。さらには表示対象を３つ以上の組み合わせることも可能である。
【００２２】
本発明の車両用表示装置２０の構成について以下に説明する。
【００２３】
図１および図２に示す車両用表示装置２０は、装飾部材２１と、第１文字板２２と、第２文字板２３と、第１指針２７と、第１指標２４と、第１目盛２６と、第２指針２８と、第２指標２５と、光源５３と、第１内機４４と、第２内機４５と、配線板５０と、反射面５１と、拡散板５２と、を有する。
【００２４】
装飾部材２１は、図２乃至図４に示すように、透光性の合成樹脂から成り且つ略円状の環状部２１ａと略扇形状の第２文字板２３を一体として形成されている。またツメ７０を有し、第１文字板２２に設けられたツメ孔７１と嵌合させることで第１文字板２２上に固定される。装飾部材２１はその環状部２１ａで第１文字板２２および第２文字板２３の表示領域Ｅを画定し、且つ第１文字板透光部２９上に、利用者に視認可能となるように配置される。
【００２５】
装飾部材２１の環状部２１ａには、第１指標２４に対応する位置に第１目盛２６が配置される。この第１目盛２６は、半透光性着色層で形成されており、第１文字板透光部２９から導光された光を受け発光する。第１目盛２６以外の部分は不透光性着色層２１ｂを設けてあり、第１文字板透光部２９から導光された光を遮断する。
【００２６】
第１文字板２２は、図３乃至図４に示すように透光性の合成樹脂で板状に形成されており、その前面（利用者と対向する側）に現在速度の測定量を指示するための文字と、記号等の第１指標２４および背後からの照明を装飾部材２１に導光するための第１文字板透光部２９を有している。第１指標２４および第１文字板透光部２９以外の領域は不透光性着色層２２ａを設けることで背面からの照明による光を遮断する。また第１文字板２２は、装飾部材２１を固定するためのツメ７０を嵌合するツメ孔７１、および第１指針軸４０、第２指針軸４１を貫通させる第１指針軸貫通孔４２，第２指針軸貫通孔４３を有する。
【００２７】
第１指標２４は、第１文字板２２の前面から視認可能となるように、文字、記号等の形状をした半透光性着色層で構成された領域であり、背後からの照明光によって発光する。第１指標２４は、第１指針２７の可動範囲に対応した略円弧状に配置される。
【００２８】
第１文字板透光部２９は、第１文字板２２上に設けられた装飾部材２１の前面投影形状をした無着色領域であり、背後からの照明を装飾部材２１に導光する。
【００２９】
第２文字板２３は、装飾部材２１の一部分として形成され略扇形状をしており、その前面に燃料残量の測定値を指示する第２指標２５を有する。また第２文字板２３は第２指標２５以外の表面部分に、鏡面加工によって不透光性着色層２３ａを形成した鏡面部を有している。装飾部材２１のツメ７０とツメ孔７１を嵌合し、装飾部材２１を第１文字板２２上に固定することにより、第２文字板２３は第１文字板２２に接した状態でその前面に配置される。
【００３０】
第２指標２５は、第２文字板２３の前面から視認可能となるように、文字、目盛、記号等の形状をした無着色または半透光性着色層で構成された領域であり、第１文字板透光部２９により導光された照明を背後から受け、利用者に対して発光する。第２指標２５は、第２指針２８の可動範囲内に略円弧状に配置される。
【００３１】
第１指針２７は、第１指標と共に現在速度の測定量を指示する。第１指針軸貫通孔４２を貫通し第１内機４４から第１文字板２２前面側に延伸している第１指針軸４０の先端に固着されており、第１内機４４によって測定量に応じた位置に回動されることで、第１指標２４、第１目盛２６等を指示する。
【００３２】
第２指針２８は、第２指標と共に燃料残量の測定値を指示する。第２指針軸貫通孔４３を貫通し第２内機４５から第１文字板２２前面側に延伸している第２指針軸４１の先端に固着されており、第２内機４５によって測定量に応じた位置に回動されることで、第２指標２５等を指示する。
【００３３】
第１内機４４は、回路パターンが設けられている配線板５０の裏カバー１１に対向する面側に固定されており、現在速度の測定量に応じてその可動範囲内で第１指針２７を駆動する。
【００３４】
第２内機４５は、回路パターンが設けられている配線板５０の裏カバー１１に対向する面側に固定されており、燃料残量の測定量に応じてその可動範囲内で第２指針２８を駆動する。
【００３５】
光源５３は、配線板５０の第１文字板２２と対向する面側に配置され、それから発せられる光は直接または反射面５１および拡散板５２にて拡散され、第１文字板２２上の第１指標２４および第１文字板透光部２９を通過し、さらに第１文字板透光部２９上に配置された装飾部材２１上の第１目盛２６および第２指標２５を経由して利用者側へ放射される。
【００３６】
次に、上述した本発明に係る車両用表示装置２０の動作（作用）の一例を説明する。
【００３７】
図示しない制御部からの制御によって光源５３が点灯すると、その光は直接又は反射面５１および拡散板５２で反射して、その一部（図４光路ａ）は第１指標２４に入射しそこから利用者に向かい放射される。また光の他の一部（図４光路ｂおよび光路ｃ）は第１文字板透光部２９を透過して装飾部材２１に入射し、さらには第１目盛２６（光路ｂ）および第２指標２５（光路ｃ）から利用者に対し放射される。上記放射された光により、各指標および目盛は発光する。
【００３８】
このように動作することによって、第１目盛２６および第２指標２５は、第１指標２４が配置されている第１文字板２２よりも利用者に近い位置にあるため、その発光により手前に浮揚した視覚効果を利用者に認識させることが出来る。また、第２文字板２３表面には鏡面加工が施されており、車輌用表示装置外から入射した外光を反射して光輝を放つため、さらなる高級感を演出することが出来る。よって、これら効果により立体感のある斬新な表示を行うことができる。
【００３９】
上述した本最良の形態において、第１文字板２２および第２文字板２３を照明する光源は共通であるものとして説明したが、第１文字板２２を照明する光源と第２文字板２３を照明する光源を別々のものとし、それぞれの光源が他方と干渉することを防ぐ遮光板を設けることで、光源の色または点灯動作を変えることが出来るため、第１文字板および第２文字板で異なる表示とすることが可能となり、これにより新たな視覚効果を得ることが出来る。
【００４０】
また、上述した本最良の形態では、第２指標について浮揚した視覚効果を得るための説明をしたが、本発明はこれに限定したものではなく、たとえば第２指標の一部（燃料残量少による警告領域等）についてのみ前記視覚効果を得る場合や、または第１指標および第２指標それぞれの一部についてのみ前記視覚効果を得る場合など種々異なる実施形態とすることができる。
【００４１】
また、上述した本最良の形態では、第２文字板を第１文字板前面に接して配置する説明をしたが、第２文字板を第１文字板前面との間に空間を設けてさらに前面に配置する形態や、第１文字板に装飾部材の形状をした凹部を設け、その凹部に装飾部材をはめ込むことにより、第２文字板を第１文字板より奥に配置する形態など様々な実施形態とすることができる。
【００４２】
なお、上述した本最良の形態は、本発明の代表的な形態を示したに過ぎず、本発明は、実施形態に限定されるものではない。即ち、本発明の骨子を逸脱しない範囲で種々変形して実施することができる。
【図面の簡単な説明】
【００４３】
【図１】本発明の車両用表示装置を有するコンビネーションメータの一例を示す正面図である。
【図２】図１中の車両用表示装置の断面図（Ｘ−Ｘ断面）である。
【図３】図１中の車両用表示装置の装飾部材の配置を説明する斜視図である。
【図４】図３中の車両用表示装置の断面図（Ａ−Ａ断面）である。
【図５】従来のコンビネーションメータの正面図である。
【符号の説明】
【００４４】
１      コンビネーションメータ
２０    車両用表示装置
２１    装飾部材
２２    第１文字板
２３    第２文字板
２４    第１指標
２５    第２指標
２６    第１目盛
ａ      第１指標に入射する光路
ｂ      第１目盛に入射する光路
ｃ      第２指標に入射する光路
【図１】
2008128947.tif 000003
【図２】
2008128947.tif 000004
【図３】
2008128947.tif 000005
【図４】
2008128947.tif 000006
【図５】
2008128947.tif 000007